(57)【要約】【課題】  什器へのアクセス時における収納物管理機能を高めることのできる什器の施解錠システムを提供すること。【解決手段】  開閉部に施解錠装置を備える物品の収納部を有する什器と、物品ＩＤを入力する入力端末と、物品ＩＤと什器ＩＤを対応させる情報及び什器ＩＤが付与された什器の位置情報を記憶するデータベースと、施解錠装置とデータベースを管理する管理部を備え、利用者が入力端末で物品の貸出要求を入力すると、入力端末から物品が収納された什器までの待機時間と解錠から施錠までの利用時間が付与され、その後、待機時間後に什器が解錠されて、什器の開閉部が閉じられていると利用時間後に什器が施錠される。【選択図】  図１１
2005146789.tif 000002
【特許請求の範囲】
【請求項１】
物品を収納する収納部と、前記収納部の開閉部を施解錠する施解錠装置と、を有する什器と、
利用者が要求する対象物の物品名もしくは物品ＩＤを入力可能な入力端末と、
前記対象物の物品ＩＤと什器ＩＤとを対応させる情報と、前記対応される什器ＩＤが付与された対象什器の位置情報と、を記憶するデータベースと、
前記入力端末からの入力情報や前記データベース内の情報を処理し、少なくとも前記入力端末における前記対象物の物品ＩＤの入力を条件に、前記対象什器を解錠させるまでの待機時間と、解錠から施錠までの利用時間とを付与する処理部と、前記物品ＩＤが入力されて、前記待機時間後に前記什器に前記施解錠装置を解錠させる解錠指示を出すとともに、前記利用時間後に施錠させる施錠指示を出す制御部と、を備える管理部と、
を備える
ことを特徴とする什器の施解錠システム。
【請求項２】
前記管理部は、前記施錠指示により前記対象什器の施解錠装置が施錠されない場合には、前記データベースに前記対象什器の施解錠装置が施錠できなかった旨を記録することを特徴とする請求項１に記載の什器の施解錠システム。
【請求項３】
前記データベースは、前記入力端末から前記対象什器までの予想移動時間が記憶され、前記管理部は、前記入力端末により前記対象物の物品ＩＤが入力されたときに、該物品ＩＤ及び前記データベースに基づいて、前記対象什器と前記予想移動時間とを特定し、前記物品ＩＤが入力されたときから前記予想移動時間の経過後に、該対象什器に前記解錠指示を出すようになっていることを特徴とする請求項１または２に記載の什器の施解錠システム。
【請求項４】
前記データベースは、前記什器の利用に要する予想利用時間が記憶され、前記管理部は、前記解錠指示を出したときから、前記予想利用時間の経過後に、前記施錠指示を出すようになっていることを特徴とする請求項１〜３のいずれかに記載の什器の施解錠システム。
【発明の詳細な説明】
【技術分野】
【０００１】
本発明は、施錠することが可能な什器に係り、特に内容物を把握するとともに、これら什器の施解錠の管理を可能とした施解錠システムに関する。
【背景技術】
【０００２】
従来、施錠することが可能な什器の解錠方法にあっては、その什器の鍵をもって什器に出向き、鍵を鍵穴に差し込んで解錠することにより実施されている。また、複数の什器と、これら什器と通信可能な入力端末を備え、什器を解錠できる利用者を定めた権限情報を管理するとともに、この権限情報に基づいて入力端末を用いて利用者により選択された什器を解錠可能な施解錠システムが提案されている（例えば、特許文献１参照）。
【０００３】
【特許文献１】特開２００３−４１８２２号公報（第７−８頁、第１３図）
【発明の開示】
【発明が解決しようとする課題】
【０００４】
前述した特許文献１に記載の什器の施解錠システムにおいては、利用者による入力端末への入力に基づいて什器が解錠されて、利用者に施錠されるまで解錠状態に保持される。しかしながら、利用者が入力端末への入力、什器への移動、什器へのアクセス、什器の施錠、といった一連の手続きを途中で中断してしまい什器の前から不在となる場合があることから、利用者の不在の可能性が高いにも関わらず什器が解錠されたままとなり、第三者による盗難、無断持ち出し等の不具合を十分に解決できるものではなかった。
【０００５】
本発明は、このような問題点に着目してなされたものであり、什器へのアクセス時における収納物管理機能を高めることのできる什器の施解錠システムを提供することを目的とする。
【課題を解決するための手段】
【０００６】
上記課題を解決するために、本発明の請求項１に記載の什器の施解錠システムは、
物品を収納する収納部と、前記収納部の開閉部を施解錠する施解錠装置と、を有する什器と、
利用者が要求する対象物の物品名もしくは物品ＩＤを入力可能な入力端末と、
前記対象物の物品ＩＤと什器ＩＤとを対応させる情報と、前記対応される什器ＩＤが付与された対象什器の位置情報と、を記憶するデータベースと、
前記入力端末からの入力情報や前記データベース内の情報を処理し、少なくとも前記入力端末における前記対象物の物品ＩＤの入力を条件に、前記対象什器を解錠させるまでの待機時間と、解錠から施錠までの利用時間とを付与する処理部と、前記物品ＩＤが入力されて、前記待機時間後に前記什器に前記施解錠装置を解錠させる解錠指示を出すとともに、前記利用時間後に施錠させる施錠指示を出す制御部と、を備える管理部と、
を備える
ことを特徴としている。
この特徴によれば、利用者が入力端末を用いて貸出または返却を要求する対象物を入力すると、この対象物に応じた什器が待機時間後に解錠されて、利用時間の経過後に什器が施錠される。このため、利用者が什器にアクセスしていない可能性が高い期間に什器が解錠されてしまうことを防止でき、第三者による盗難、無断持ち出し等の不具合の発生を低減できることから、什器へのアクセス時における収納物管理機能を高めることができる。
尚、物品とは、物品ＩＤにより識別可能な物の単位（例えば、箱、書籍等）であり、什器ＩＤとは、什器に固有に付与される識別情報であり、少なくとも什器に固有に付与されるＩＤ（例えば、１、２、・・・）であり、什器とは１段の棚や１個の空間も含み、また、構造によっては棚の位置情報や空間の位置情報にもＩＤを付与することは自由である。
また、什器の位置情報とは、少なくとも入力端末から什器までの移動時間を算出するために什器に固有に付与される位置情報であり、例えば、座標情報や距離情報や移動時間情報等であり、待機時間とは、０も含み、什器の位置情報に応じて定めてもよい。
【０００７】
本発明の請求項２に記載の什器の施解錠システムは、本発明の請求項１に記載の什器の施解錠システムであって、
前記管理部は、前記施錠指示により前記対象什器の施解錠装置が施錠されない場合には、前記データベースに前記対象什器の施解錠装置が施錠できなかった旨を記録する
ことを特徴としている。
この特徴によれば、什器が解錠されて、所定時間が経過したときに什器が施錠されなかった旨を記録できるばかりか、この記録に基づいて管理者に什器が施錠されていない旨を報知でき、什器へのアクセス時における収納物管理機能を一層高められる。
【０００８】
本発明の請求項３に記載の什器の施解錠システムは、本発明の請求項１または２に記載の什器の施解錠システムであって、
前記データベースは、前記入力端末から前記対象什器までの予想移動時間が記憶され、前記管理部は、前記入力端末により前記対象物の物品ＩＤが入力されたときに、該物品ＩＤ及び前記データベースに基づいて、前記対象什器と前記予想移動時間とを特定し、前記物品ＩＤが入力されたときから前記予想移動時間の経過後に、該対象什器に前記解錠指示を出すようになっている
ことを特徴としている。
この特徴によれば、利用者が入力端末を用いて貸出または返却を要求する対象物を入力すると、この対象物に応じた予想移動時間が経過したときに什器が解錠される。このため、入力端末から対象物を収納した什器へと移動している可能性が高い期間に什器が解錠されてしまうことを防止できることから、第三者による盗難、無断持ち出し等の不具合の発生を低減できる。
【０００９】
本発明の請求項４に記載の什器の施解錠システムは、本発明の請求項１〜３のいずれかに記載の什器の施解錠システムであって、
前記データベースは、前記什器の利用に要する予想利用時間が記憶され、前記管理部は、前記解錠指示を出したときから、前記予想利用時間の経過後に、前記施錠指示を出すようになっている
ことを特徴としている。
この特徴によれば、利用者が入力端末を用いて貸出または返却を要求する対象物を入力すると、この対象物に応じた什器が解錠され、その後、予想利用時間が経過したときに什器が施錠される。このため、利用者が什器まで移動しなかったとき、什器を施錠せずに什器付近より移動したとき等に什器が解錠されたままになることを防止できることから、第三者による盗難、無断持ち出し等の不具合の発生を低減できる。
【発明を実施するための最良の形態】
【００１０】
本発明の実施例を以下に説明する。
【実施例１】
【００１１】
図1は、本発明の第１実施例の什器１が適用される施解錠システムの構成を示す図であり、物品が収納される什器１は複数設置（本実施例では３台設置）されており、これら什器１は通信ケーブル２を介して中継装置１１に接続されており、中継装置１１は通信ケーブル２を介して什器アンテナ１０に接続されている。
【００１２】
什器１の施解錠システムの管理や運用を行う管理コンピュータ３は、この管理コンピュータ３のデータ入出力やデータ表示を行う入力端末４と、ＬＡＮケーブル８を介して（本実施例ではＬＡＮを介して）相互接続されている。
【００１３】
管理コンピュータ３は通信ケーブル２を介して管理アンテナ９に接続され、入力端末４は通信ケーブル２を介して、物品７に取り付けられるＲＦＩＤタグからの物品ＩＤを含む電磁波と、利用者認証カード６に内蔵されるＲＦＩＤタグからの利用者ＩＤを含む電磁波と、を受信可能なＲＦＩＤリーダ／ライタを有し、物品７の質量を計量可能なＲＦＩＤリーダ／ライタ付計量装置５に接続されている。什器アンテナ１０と管理アンテナ９とは、無線によって相互接続されており、種々のデータの送受信が行えるようになっている。
【００１４】
什器１はラテラル２００の上部に書庫１００を載置した構成となっており、書庫１００には上棚収納部１０１と下棚収納部１０２が形成され、ラテラル２００には引き出し２０１、２０２、２０３、２０４が備えられており、これらの収納部にファイルやカルテ等の書類を収納するファイルケースや書籍等の物品７が収納されている。什器１に収納される物品７には、個々にＲＦＩＤタグが貼付されている。
【００１５】
また、書庫１００及びラテラル２００には、各収納部に対応する指示ランプ、具体的には、上棚収納部１０１に上棚指示ランプ１１１、下棚収納部１０２に下棚指示ランプ１１２、引き出し２０１〜２０４に指示ランプ２１１〜２１４、が設けられており、この指示ランプを点灯もしくは点滅させることにより収納部を指示報知可能になっている。また、書庫１００は解錠ランプ１１５及びスピーカ１１６を、ラテラル２００は解錠ランプ２１５及びスピーカ２１６をそれぞれ備えており、解錠ランプの点灯もしくは点滅により解錠されている旨を報知可能であり、スピーカからの音出力によりメッセージを通知可能になっている。
【００１６】
図２及び図３は、本実施例の什器の施解錠システムの構成を示すブロック図が示され、図１の什器１を構成する書庫１００には、図３に示すように、上棚指示ランプ１１１と、下棚指示ランプ１１２と、解錠ランプ１１５と、スピーカ１１６と、書庫１００を施解錠できる施解錠装置１１７と、書庫１００が右もしくは左から開閉された旨を検出する開閉扉スイッチ（右）１３１、開閉扉スイッチ（左）１３２と上棚アンテナ１４１と、下棚アンテナ１４２と、通信部１２２と、通信部１２２と接続された制御部１２１と、が設けられている。上棚アンテナ１４１、下棚アンテナ１４は、各々上棚収納部１０１、下棚収納部１０２に収納された物品７のＲＦＩＤタグからの物品ＩＤを含む電磁波を受信可能な位置に内設されている。また、制御部１２１は、前述したランプ、スピーカ、アンテナ、スイッチに接続されており、通信部１２２を介して管理コンピュータ３より送受信した各種データに応じた各種の制御を行えるようになっている。
【００１７】
また、什器１を構成するラテラル２００には、図３に示すように、指示ランプ２１１〜２１４と、解錠ランプ２１５と、スピーカ２１６と、ラテラル２００を施解錠できる施解錠装置２１７と、引き出し２０１〜２０４が開閉された旨を検出する開閉扉スイッチ２３１〜２３４と、アンテナ２４１〜２４４と、通信部２２２と、通信部２２２と接続された制御部２２１と、が設けられている。アンテナ２４１〜２４４は、各々引き出し２０１〜２１４に収納された物品７のＲＦＩＤタグからの物品ＩＤを含む電磁波を受信可能な位置に内設されている。また、制御部２２１は、前述したランプ、スピーカ、アンテナ、スイッチに接続されており、通信部２２２を介して管理コンピュータ３より送受信した各種データに応じた各種の制御を行えるようになっている。
【００１８】
図２に示されるように、管理コンピュータ３は、所定の手順で演算を行うＣＰＵ、ＣＰＵの制御プログラムや各種データテーブル等を格納するＲＯＭ、必要なデータの書き込み及び読み出しを行うＲＡＭを備える制御部３０１と、ＬＡＮ８を介して入力端末４と通信するための通信部３０２、管理アンテナ９を介して什器１と通信するための通信部３０３と、後述する各種情報（図７、図８参照）を記憶する記憶部３０４と、から構成されている。制御部３０１は、通信部３０２もしくは通信部３０３を介して送受信した各種データに応じた各種の制御を行えるようになっている。
【００１９】
入力端末４は、管理コンピュータ３の制御部３０１と同様の構成を有する制御部４０１と、ＬＡＮ８を介して管理コンピュータ３と通信するための通信部４０２と、ＲＦＩＤリーダ／ライタ付計量装置５と通信するための通信部４０３と、後述する画面（図５、図６参照）に基づいて利用者からの入力を受付可能な入出力装置（本実施例では、ディスプレイ、キーボード、マウス）を備えた入出力部４０４と、から構成されている。制御部４０１は、通信部４０３もしくは入出力部４０４を介して入力された各種データを、通信部４０２を介して管理コンピュータ３に送受信するとともに、通信部４０２もしくは通信部４０３を介して受信した各種データを表示させる入出力部４０４を制御するようになっている。
【００２０】
ＲＦＩＤリーダ／ライタ付計量装置５は、入力端末４と通信するための通信部５０２と、利用者認証カード６及び物品７に取り付けられたＲＦＩＤタグと無線通信するためのＲＦＩＤアンテナ５０３と、物品７の質量を計量するための計量装置５０４と、これらを制御する制御部５０１と、から構成されている。
【００２１】
利用者認証カード６には、利用者ＩＤを記録する記憶部６０２と、ＲＦＩＤリーダ／ライタ付計量装置５及び什器１と無線通信するためのＲＦＩＤアンテナ６０３と、これらを制御する制御部６０１と、から構成されるＲＦＩＤタグが取り付けられている。
【００２２】
物品７には、物品ＩＤを記録する記憶部７０２と、ＲＦＩＤリーダ／ライタ付計量装置５及び什器１と無線通信するためのＲＦＩＤアンテナ７０３と、これらを制御する制御部７０１と、から構成されるＲＦＩＤタグが取り付けられている。
【００２３】
図４は、利用者の貸出及び返却に伴って、入力端末４、管理コンピュータ３、什器１の間で行われる情報の送受信の一例を示しており、図５及び図６は、利用者に対して入力端末４が表示する画面の一例を示している。まず、これら図４〜図６に基づいて、本実施例の什器１が適用された施解錠システムの使用方法の一例である物品の貸出方法について説明する。
【００２４】
本実施例の什器の施解錠システムの利用者は、利用に際して認証操作（図４参照）を実行する。具体的には、図５（ａ）に示す初期画面が表示された入力端末４において、利用者は利用者認証カード６の提示を要求される。利用者が利用者認証カード６をＲＦＩＤリーダ／ライタ付計量装置５に提示すると、入力端末４には図５（ｂ）に示すパスワード入力画面が表示されるので、利用者はパスワードを入力する。
【００２５】
利用者が認証操作を行うと、入力端末４により、利用者認証カード６から読み出された利用者ＩＤと、入力されたパスワードと、からなる認証要求（図４参照）が管理コンピュータ３に送信され、管理コンピュータ３からの返信、すなわち利用者の利用を許可するか否かを示す認証結果（図４参照）の送信が待機される。そして、返信された認証結果において利用が許可されていれば、図５（ｃ）に示すメイン画面が入力端末４に表示され、利用者は、ボタン操作により貸出操作（図４参照）を行うことができる。
【００２６】
そこで、利用者が貸出操作を行うと、入力端末４により、貸出要求（図４参照）が管理コンピュータ３に送信され、管理コンピュータ３からの返信、すなわち利用者に貸出可能な物品の一覧を示す貸出可物品一覧（図４参照）の送信が待機される。そして、返信された貸出可物品一覧に基づいて、図５（ｄ）に示す貸出可物品一覧画面が入力端末４に表示され、利用者は、貸出を要求できる物品７、物品７の収納什器１及び収納場所、の一覧を確認できるとともに、マウスやキーボード等により貸出を要求する物品７（例えば、書庫１００の下棚収納部１０２に収納された物品、以下要求物と称す）の選択操作（本実施例では、複数選択可能）を含む貸出実行操作（図４参照）を行うことができる。
【００２７】
利用者が貸出実行操作を行うと、入力端末４により、要求物を特定可能な貸出実行要求（図４参照）が管理コンピュータ３に送信されるとともに、図５（ｅ）に示す貸出進行中画面が表示されて、利用者は、貸出中である旨を確認できるようになっている。そして、貸出実行操作を行ったもしくは貸出進行中画面を確認した利用者は、要求物を取り出すために什器１（例えば、図１に示される書庫１００）への移動を開始する。
【００２８】
また、貸出実行要求を受信した管理コンピュータ３では、要求物が確認され、入力端末４から要求物が収納される什器１までの予想移動時間が特定される。そして、予想移動時間が経過すると、管理コンピュータ３により、解錠信号（図４参照）がオンにされて、什器１の施解錠装置（例えば、図３の施解錠装置１１７）が解錠されるとともに、ランプ信号（図４参照）がオンにされて、什器１のランプ（例えば、図１の解錠ランプ１１５と下棚指示ランプ１１２）が点灯される。
【００２９】
利用者は、点灯中の什器１のランプを目印にして、要求物が収納される什器１まで移動する。そして、利用者がすでに解錠信号によって解錠された什器１の収納部（例えば、図１の書庫１００の下棚収納部１０２）の開閉部を開扉すると、什器１では、開閉扉スイッチ（例えば、図３の開閉扉スイッチ（左）１３１）に開扉を検出されることにより、開扉信号（図４参照）がオンにされて、管理コンピュータ３により、開扉された旨が確認される。
【００３０】
開扉された旨を確認した管理コンピュータ３では、アンテナ信号がオンにされて、什器１のアンテナ（例えば、図３の下棚アンテナ１４２）を起動させる。このとき、什器１では、起動されたアンテナにより、収納中の物品７の物品ＩＤが検出されるようになり、これら収納物を特定可能な収納物信号（図４参照）が管理コンピュータ３に送信される。このように、利用者に開扉された什器１においては、管理コンピュータ３により取出もしくは納入された物品７を把握できるようになっている。
【００３１】
また、什器１のアンテナは、物品ＩＤを読み出すだけでなく、利用者認証カード６のＲＦＩＤタグの利用者ＩＤも読出可能とされており、利用者が、什器１に対して利用者認証カード６を提示すると、什器１より収納物信号として利用者認証カード６の利用者ＩＤが送信されて、管理コンピュータ３により、物品７を取り出した利用者が確認できるようになっている。また、管理コンピュータにより、入力端末４において貸出を要求し什器１を解錠させた利用者ＩＤと、什器１にアクセスして物品７を取り出した利用者ＩＤとが比較され、不一致のときには、ランプ信号もしくはスピーカ信号（図示せず）が制御されて、什器１のランプ（例えば、点灯から点滅に変更する）もしくはスピーカ（例えば、メッセージを音出力する）から、什器１へ誤ってアクセスした旨を報知させるようになっている。
【００３２】
利用者が什器１の開閉部を閉じると、開閉扉スイッチ（例えば、図３の開閉扉スイッチ（左）１３１）で閉扉が検出されて、什器１は開扉信号をオフとし、管理コンピュータ３により閉扉が確認される。閉扉を確認した管理コンピュータ３では、アンテナ信号をオフとし、什器１のアンテナをオフにする。このため、利用者に閉扉された什器１においては、管理コンピュータ３により取出もしくは納入された物品７が把握できなくなる。
【００３３】
また、閉扉を確認した管理コンピュータ３では、什器１の開扉から閉扉までの収納物信号の変化に基づいて、物品の取出があった旨が確認されると、ランプ信号と解錠信号を順次オフにして、ランプを消灯させるとともに什器を施錠させる。すなわち、実際に物品が取り出されて、什器１が閉扉されたことで貸出が終了となる。
【００３４】
次いで、本実施例の什器１が適用された施解錠システムの使用方法の一例である物品の返却方法について説明する。入力端末４における認証操作と、什器１に移動してからの利用者の操作は、貸出時と同様でありここでは省略する。
【００３５】
利用者が認証操作を終了し、管理コンピュータ３により利用が許可されると、図５（ｃ）に示すメイン画面が入力端末４に表示され、利用者は、ボタン操作により返却を開始できるようになっている。
【００３６】
図１の入力端末４により、利用者がボタン操作して返却を開始すると、図６（ｆ）に示す返却物品登録画面が表示され、利用者は、返却を要求する物品７（以下要求物と称す）を登録する返却操作（図４参照）と、要求物の返却を実行する返却実行操作（図４参照）と、を行えるようになっている。尚、返却実行操作を行うまでに、返却操作を複数回行うことが可能であり、複数の物品７を一度に返却できるようになっている。
【００３７】
図１に示すように、利用者がＲＦＩＤリーダ／ライタ付計量装置５上に物品７を置き、要求物を計量する返却操作を行うと、要求物の質量が計量されるとともに、要求物の物品ＩＤが読み出される。そして、入力端末４により、読み出された物品ＩＤ及び質量を示す返却要求（図４参照）が管理コンピュータ３に送信され、管理コンピュータ３からの返信、すなわち要求物の返却を許可するか否かを示す返却可否（図４参照）が待機される。そして、返信された返却可否において返却が許可されていれば、図６（ｂ）に示すように返却物品登録画面に要求物の情報が追加表示され、要求物が収納される什器１及び収納部を確認できるようになっている。
【００３８】
また、利用者が図６（ｂ）に示す返却物品登録画面においてボタン操作により返却実行操作を行うと、入力端末４により、要求物の物品ＩＤ及び質量を特定可能な返却実行要求（図４参照）が管理コンピュータ３に送信されるとともに、図６（ｃ）に示す返却進行中画面が表示されて、利用者は、返却中である旨を確認できるようになっている。そして、返却実行操作を行ったもしくは返却進行中画面を確認した利用者は、要求物を納入するために什器１への移動を開始する。
【００３９】
図７、図８は、本実施例の什器の施解錠システムを構成する管理コンピュータ３の記憶部３０４に記憶される情報の一例を示す図である。
【００４０】
図７（ａ）は、什器ＩＤ及び収納部ＩＤごとに重要度を定めた什器情報であり、什器ＩＤ及び収納部ＩＤが付与された収納部の重要度の特定に用いられる。図７（ｂ）は、什器ＩＤごとに移動時間を定めた移動時間情報であり、入力端末４から什器ＩＤが付与された什器１までの予想移動時間として用いられる。図７（ｃ）は、物品ＩＤごとに物品名、質量、什器ＩＤ、収納部ＩＤを定めた物品情報であり、物品７の収納部に付与された什器ＩＤ及び収納部ＩＤの特定に用いられる。図７（ｄ）は、利用者ＩＤ及び物品ＩＤごとにパスワードを定めた利用許可情報であり、利用者が特定のパスワードを入力したときに利用が許容される物品７の特定に用いられる。
【００４１】
また、図８（ｅ）は、利用者が物品７の貸出を要求してから、この要求に伴う一連の手続きが終了するまでの情報（以下貸出履歴と称す）を複数件記録する貸出履歴情報であり、物品ＩＤ、貸出が終了した旨を示す終了情報、要求時の要求情報、貸出時の貸出情報、返却時の返却情報、所定の解錠時間内に貸出もしくは返却が終了しなかったため解錠時間切れが発生した旨を示す解錠時間切れ情報、を記録できる。詳しくは、要求情報は、要求をした利用者ＩＤ（以下要求者ＩＤと称す）と、日時と、からなる。貸出情報は、物品７が貸し出された利用者ＩＤ（以下貸出者ＩＤと称す）と、日時と、要求者ＩＤと貸出者ＩＤとの一致・不一致を示す不一致情報と、からなる。返却情報は、物品７を返却した利用者ＩＤ（以下返却者ＩＤと称す）と、日時と、質量と、貸出者ＩＤと返却者ＩＤとの一致・不一致を示す不一致情報と、貸出時に物品７を一時的に取り出してすぐに納入した旨を示す一時貸出情報と、貸出時の質量と返却時の質量とが不一致であった旨を示す質量異常情報と、からなる。解錠時間切れ情報は、利用者の要求に基づき什器１が解錠された後、施錠されない状態で所定の解錠時間が経過したときに、開閉部が閉状態であった旨を示す解錠時間切れ・閉状態と、開状態であった旨を示す解錠時間切れ・開状態と、からなる。
【００４２】
また、図８（ｆ）は、利用者が貸出または返却を要求することなく、什器１の収納部に対して取出もしくは納入した物品７の情報を記録する不正アクセス情報であり、日時、什器ＩＤ、収納部ＩＤ、物品ＩＤ、取出もしくは納入のいずれかを示すアクセスの種類、からなる。
【００４３】
図９は、本実施例の什器の施解錠システムを構成する図１の管理コンピュータ３において実行されるメイン処理の詳細を示すフローチャートであり、管理コンピュータ３は、入力端末４から認証要求、貸出要求、返却要求のいずれかのデータを受信するまで待機し（Ｓａ１〜Ｓａ３）、それぞれは認証要求を受信すると認証処理、貸出要求を受信すると貸出処理、返却要求を受信すると返却処理へと、それぞれ移行する（Ｓａ４〜Ｓａ６）。
【００４４】
次に、Ｓａ４における認証処理について説明すると、図３の管理コンピュータ３の記憶部３０４に記憶された利用許可情報に基づいて、認証要求により特定される利用者ＩＤ及びパスワードにて利用できる物品ＩＤがあるかを判定する。利用できる物品ＩＤが存在すれば利用を許可する旨を、存在しなければ利用を許可しない旨を示す認証結果を入力端末４に送信する。また、利用を許可するときには、利用者ＩＤ、パスワードを制御部３０１のＲＡＭもしくは記憶部３０４に記憶し、貸出処理あるいは返却処理において利用者ＩＤ、パスワードを利用可能とする。
【００４５】
図１０は、図９のＳａ５における貸出処理を示すフローチャートであり、まず、制御部３０１のＲＡＭもしくは記憶部３０４に記憶された利用者ＩＤ及びパスワードと、記憶部３０４に記憶された利用許可情報に基づいて、利用が許容される物品ＩＤを特定し、さらに、記憶部３０４に記憶された貸出履歴情報に基づいて現在貸出中の物品ＩＤを確認して、利用可能でかつ貸出中でない物品ＩＤを特定可能な貸出可物品一覧を入力端末４に送信し（Ｓｂ１）、入力端末４から貸出実行要求が送信されるまで待機する（Ｓｂ２）。
【００４６】
次いで、入力端末４から貸出実行要求が送信されると、利用者ＩＤと、貸出実行要求により特定される物品（以下要求物と称す）ＩＤと、この貸出実行要求が行われた日時と、からなる要求情報を、貸出履歴情報に新規に登録する（Ｓｂ３）。例えば、図１５（ｅ）の最下行に示すように、物品ＩＤとして９８を付与された物品が、利用者ＩＤとして２をもつ利用者に、２００３／０９／３０  １２：３４：５６に要求された旨が記録される。そして貸出履歴情報へ記録された後は、物品貸出処理に移行する（Ｓｂ４）。
【００４７】
図１１、図１２は、図１０のＳｂ４における物品貸出処理を示すフローチャートである。
【００４８】
まず、要求物ＩＤと、記憶部３０４に記憶された物品情報に基づいて、要求物を収納する什器（以下対象什器と称す）及び収納部（以下対象収納部と称す）のＩＤを特定する。さらに、特定された対象什器ＩＤと、記憶部３０４に記憶された移動時間情報に基づいて、対象什器までの予想移動時間を特定する（Ｓｃ１）。そして、この予想移動時間が経過するまで待機する（Ｓｃ２）。例えば、物品ＩＤとして２が付与された物品の貸出が要求された際には、什器ＩＤが１、予想移動時間が１０秒と特定される。尚、利用者が入力端末４により複数の要求物を入力した場合には、そのうちの一つの要求物に対して対象什器１までの移動予想時間を特定する。
【００４９】
次いで、記憶部３０４に記憶された貸出履歴情報に基づいて、未貸出（要求情報：あり、終了情報：×、貸出情報：なし）な要求物ＩＤを特定し（Ｓｃ３）、該当する物品ＩＤがなければ物品貸出処理を終了する。
【００５０】
Ｓｃ３において、未貸出な要求物ＩＤがあれば、対象什器及び対象収納部に対する解錠信号とランプ信号を順次オンにして、施解錠装置の解錠とランプの点灯を行わせ（Ｓｃ４）、所定の解錠時間が経過するか、対象什器が開扉される（開扉信号：オンの検出）まで待機する（Ｓｃ５、Ｓｃ６）。尚、所定の解錠時間とは、利用者に与えられるアクセス時間の上限値（例えば、１０分）である。また、所定の解錠時間を１種類しか設定しない構成としているが、什器ごと、物品ごと、利用者ごと、あるいは、これらの組合せごとに、所定の解錠時間を設定してもよい。
【００５１】
Ｓｃ５、Ｓｃ６において、所定の解錠時間が経過すると、開閉部が閉状態のときに解錠時間切れにより貸出が終了した旨（解錠時間切れ・閉状態：○、終了情報：○）を貸出履歴情報に記録し（Ｓｃ７）、対象什器及び対象収納部に対する解錠信号とランプ信号を順次オフにして、施解錠装置の施錠とランプの消灯を行わせ（Ｓｃ８）、物品貸出処理を終了する。
【００５２】
Ｓｃ５、Ｓｃ６において、対象什器が開扉される（開扉信号：オンの検出）と（Ｓｃ６）、対象什器及び対象収納部に対するアンテナ信号をオンにして、対象什器及び対象収納部内の収納物を検出できるようにする（Ｓｃ１０）。尚、アンテナが取り付けられていない対象什器及び対象収納部に関しては、アンテナ信号をオンにしても、対象什器及び対象収納部内の収納物を検出できないことは明らかである。
【００５３】
次いで、記憶部３０４に記憶された什器情報と、開扉された対象什器及び対象収納部のＩＤに基づいて重要度を特定し、重要度が高いときには、解除時間が経過するか、収納物収納物信号の変化を検出するか、開扉信号：オフを検出するか、のいずれかが成立するまで待機する（Ｓｃ１２〜Ｓｃ１５）。また、重要度が低いときには、要求物の貸出が行われた旨を示す貸出フラグをセットし（Ｓｃ１１）、Ｓｃ１２〜Ｓｃ１５のステップに移行する。このため、重要度が低い什器１にあっては、開扉されるのみで貸出が成立したとみなされる。
【００５４】
Ｓｃ１２〜Ｓｃ１５において、解錠時間が経過すると、すなわち開扉されたまま（開扉信号：オン）で解錠時間切れになると（Ｓｃ１２）、開閉部が開状態のときに解錠時間切れが発生した旨（解錠時間切れ・開状態：○）を貸出履歴情報に記録するとともに、閉め忘れのエラーが発生したと判定して、エラー処理（例えば、スピーカによるメッセージの報知）を実施する（Ｓｃ１６）。その後、Ｓｃ１２〜Ｓｃ１５に移行し、対象什器及び対象収納部が閉扉される（開扉信号：オフ）まで待機する。
【００５５】
Ｓｃ１２〜Ｓｃ１５において、重要度が高いときに対象什器及び対象収納部からの収納物信号の変化を検出すると（Ｓｃ１３、Ｓｃ１４）、要求物ＩＤが消失したかを判定し（Ｓｃ１７）、要求物ＩＤが消失したときには貸出フラグをセットして（Ｓｃ１８）、Ｓｃ１２〜Ｓｃ１５に移行する。また、Ｓｃ１３において重要度が低いと判定したときには、対象什器及び対象収納部からの収納物信号を検出しない。
【００５６】
また、Ｓｃ１３、Ｓｃ１４において、重要度が高いときに対象什器及び対象収納部内に要求物ＩＤが出現したときには（Ｓｃ１９）、解錠から施錠までに要求物を取り出して、納入した旨を示す一時貸出フラグをセットして（Ｓｃ２０）、Ｓｃ１２〜Ｓｃ１５に移行する。
【００５７】
また、Ｓｃ１３、Ｓｃ１４において、対象什器及び対象収納部内に利用者ＩＤが出現したときには（Ｓｃ２１）、この利用者ＩＤと、入力端末４より入力された要求者ＩＤとが一致するかを判定し（Ｓｃ２２）、一致すれば、利用者認証カードの提示があった旨を示す利用者ＩＤフラグをセットし（Ｓｃ２５）、Ｓｃ１２〜Ｓｃ１５に移行する。
【００５８】
また、Ｓｃ２２において、検出された利用者ＩＤと要求者ＩＤとが一致しなければ、要求者と貸出者が一致しない旨を示す不一致フラグをセットし（Ｓｃ２３）、ランプ信号を制御して、入力端末４において貸出を要求して解錠させた什器１とは異なる什器１に利用者がアクセスしている旨を報知する誤り報知、例えば、ランプ信号のオンオフを定期的に繰り返させる点滅報知、を行う（Ｓｃ２４）。その後、Ｓｃ２５を経て、Ｓｃ１２〜Ｓｃ１５に移行する。
【００５９】
また、Ｓｃ１３、Ｓｃ１４において、消失もしくは出現したＩＤが要求物ＩＤでも利用者ＩＤでもなかったとき、すなわち要求物以外の物品が取出もしくは納入されたときには、不正取出／納入のエラーが発生したと判定して、図８（ｆ）に示す不正アクセス情報を新たに登録するとともに、エラー処理を実施する（Ｓｃ２６）。その後、Ｓｃ１２〜Ｓｃ１５に移行する。尚、エラー処理においては、不正アクセス情報に基づいて、要求物以外の物品７が取り出された旨を確認すると、不正アクセスの是正を指示する旨を報知（例えば、スピーカからの物品７の返却指示メッセージ出力、ランプの点灯態様変更（点灯から点滅）等）する。また、不正に取り出された物品７が納入された旨を確認すると、不正アクセスが是正された旨を報知（例えば、スピーカからの物品７の返却確認メッセージ出力、ランプの点灯態様復旧（点滅から点灯）等）する。
【００６０】
Ｓｃ１２〜Ｓｃ１５において、什器１が閉扉される（開扉信号：オフの検出）と（Ｓｃ１５）、対象什器及び対象収納部内に対するアンテナ信号をオンからオフにして、対象什器及び対象収納部内の物品７を検出できないようにする（Ｓｃ２７）。
【００６１】
次いで、利用者ＩＤフラグがセットされているかを確認し（Ｓｃ２８）、セットされていればＳｃ３０に移行する。また、セットされていなければ、利用者認証カード非提示のエラーが発生したと判定して、エラー処理（例えば、スピーカによるメッセージの報知）を実施してから（Ｓｃ２９）、Ｓｃ３０に移行する。
【００６２】
Ｓｃ３０において、貸出フラグがセットされているか、すなわち要求物の貸出があったかを確認し、貸出があれば、対象什器に対する解錠信号とランプ信号を順次オフにして、施解錠装置の施錠とランプの消灯を行わせるとともに（Ｓｃ３１）、記憶部３０４に記憶される貸出履歴情報の貸出情報に利用者ＩＤと日時を記録して物品の貸出が行われた旨を記録する（Ｓｃ３２）。また、貸出がなければ、Ｓｃ５、Ｓｃ６に移行し、解除時間が経過するか、再び開扉されて貸出が開始されるか、いずれかの条件が成立するまで待機する。
【００６３】
次いで、不一致フラグがセットされているかを確認し（Ｓｃ３３）、セットされているときには、記憶部３０４に記憶される貸出履歴情報の貸出情報に不一致情報を記録する（Ｓｃ３４）。また、セットされていないときには、直ちにＳｃ３５に移行する。
【００６４】
また、一時貸出フラグがセットされているかを確認し（Ｓｃ３５）、セットされていないときには、各種フラグをクリアするとともに（Ｓｃ３９）、Ｓｃ２に移行し、未貸出な要求物の貸出を継続する。
【００６５】
また、Ｓｃ３３において、一時貸出フラグがセットされているときには、記憶部３０４に記憶される貸出履歴情報の返却情報に利用者ＩＤ、日時、一時貸出情報、終了情報を記録して、貸出が一時貸出であった旨も記録する（Ｓｃ３６）。そして、不一致フラグがセットされているかを確認し（Ｓｃ３７）、セットされているときには、記憶部３０４の貸出履歴情報の返却情報に、要求者と返却者が一致しない旨を示す不一致情報を記録した後（Ｓｃ３８）、各種フラグをクリアするとともに（Ｓｃ３９）、Ｓｃ２に移行し、未貸出な要求物の貸出を継続する。
【００６６】
図１３は、図９のＳａ６における返却処理を示すフローチャートであり、まず、図１の入力端末４から受信された返却要求により特定される物品ＩＤと、図３の記憶部３０４に記憶された貸出履歴情報に基づいて、物品ＩＤが貸出中か（貸出情報：あり、終了情報：×）を確認する（Ｓｄ１）。物品が貸出中でなければ、不可を示す返却可否を入力端末４に送信するとともに（Ｓｄ３）、Ｓｄ４、Ｓｄ５に移行し、次の返却要求を受信するか、物品実行要求を受信するか、いずれかの条件が成立するまで待機する。また、物品が貸出中であれば、可を示す返却可否を入力端末４に送信するとともに（Ｓｄ２）、Ｓｄ４、Ｓｄ５に移行する。
【００６７】
Ｓｄ４、Ｓｄ５において、返却要求を受信したときには（Ｓｄ４）、Ｓｄ１に移行して再度返却可否の判定を行う。また、返却実行要求を受信したときには（Ｓｄ５）、Ｓｄ６へ移行して物品返却処理を行う。
【００６８】
図１４、図１５は、図１３のＳｄ６における物品返却処理を示すフローチャートであり、まず、返却実行要求により特定される物品（以下要求物と称す）ＩＤ及び質量と、記憶部３０４に記憶された物品情報に基づいて、要求物を収納する什器（以下対象什器と称す）及び収納部（以下対象収納部と称す）のＩＤを特定する。さらに、特定された対象什器ＩＤと、記憶部３０４に記憶された移動時間情報に基づいて、対象什器までの予想移動時間を特定する（Ｓｅ１）。そして、この予想移動時間が経過するまで待機する（Ｓｅ２）。例えば、物品ＩＤとして２が付与された物品の返却が要求された際には、什器ＩＤが１、予想移動時間が１０秒と特定される。尚、利用者が入力端末４により複数の要求物を入力した場合には、そのうちの一つの要求物に対して対象什器１までの移動予想時間を特定する。
【００６９】
次いで、記憶部３０４に記憶された貸出履歴情報に基づいて、未返却（終了情報：×）な要求物ＩＤを特定し（Ｓｅ３）、該当する要求物ＩＤがなければ物品返却処理を終了する。
【００７０】
Ｓｅ３において、未返却な要求物ＩＤがあれば、対象什器及び対象収納部に対する解錠信号とランプ信号を順次オンにして、施解錠装置の解錠とランプの点灯を行わせ（Ｓｅ４）、所定の解錠時間が経過するか、対象什器が開扉される（開扉信号：オンの検出）まで待機する（Ｓｅ５、Ｓｅ６）。尚、所定の解錠時間とは、解錠から施錠まで利用者に供される時間の上限値（例えば、１０分）である。また、所定の解錠時間を１種類しか設定しない構成としているが、什器ごと、物品ごと、利用者ごと、あるいは、これらの組合せごとに、所定の解錠時間を設定してもよい。
【００７１】
Ｓｅ５、Ｓｅ６において、所定の解錠時間が経過すると、開閉部が閉状態のときに解錠時間切れにより返却が行われなかった旨（解錠時間切れ・閉状態：○）を貸出履歴情報に記録し（Ｓｅ７）、対象什器及び対象収納部に対する解錠信号とランプ信号を順次オフにして、施解錠装置の施錠とランプの消灯を行わせ（Ｓｅ８）、物品返却処理を終了する。
【００７２】
Ｓｅ５、Ｓｅ６において、対象什器が開扉される（開扉信号：オンの検出）と（Ｓｅ６）、対象什器及び対象収納部に対するアンテナ信号をオンにして、対象什器及び対象収納部内の収納物を検出できるようにする（Ｓｅ１０）尚、アンテナが取り付けられていない対象什器及び対象収納部に関しては、アンテナ信号をオンにしても、対象什器及び対象収納部内の収納物を検出できないことは明らかである。
【００７３】
次いで、記憶部３０４に記憶された什器情報と、開扉された対象什器及び対象収納部のＩＤに基づいて重要度を特定し、重要度が高いときには、解除時間が経過するか、収納物信号の変化を検出するか、開扉信号：オフを検出するか、のいずれかが成立するまで待機する（Ｓｅ１２〜Ｓｅ１５）。また、重要度が低いときには、要求物の返却が行われた旨をしめす返却フラグをセットし（Ｓｅ１１）、Ｓｅ１２〜Ｓｅ１５のステップに移行する。このため、重要度が低い什器１にあっては、開扉されるのみで返却が成立したとみなされる。
【００７４】
Ｓｅ１２〜Ｓｅ１５において、解錠時間が経過すると、すなわち開扉されたまま（開扉信号：オン）で解錠時間切れになると（Ｓｅ１２）、開閉部が開状態のときに解錠時間切れが発生した旨（解錠時間切れ・開状態：○）を貸出履歴情報に記録するとともに、閉め忘れのエラーが発生したと判定して、エラー処理（例えば、スピーカによるメッセージの報知）を実施する（Ｓｅ１６）。その後、Ｓｅ１２〜Ｓｅ１５に移行し、対象什器及び対象収納部が閉扉される（開扉信号：オフ）まで待機する。
【００７５】
Ｓｅ１２〜Ｓｅ１５において、重要度が高いときに対象什器及び対象収納部からの収納物信号の変化を検出すると（Ｓｅ１３、Ｓｅ１４）、要求物ＩＤが出現したかを判定し（Ｓｅ１７）、要求物ＩＤが出現したときには返却フラグをセットして（Ｓｅ１８）、Ｓｅ１２〜Ｓｅ１５に移行する。また、Ｓｅ１３において重要度が低いと判定したときには、対象什器及び対象収納部からの収納物信号を検出しない。
【００７６】
また、Ｓｅ１３、Ｓｅ１４において、対象什器及び対象収納部内に利用者ＩＤが出現したときには（Ｓｅ１９）、この利用者ＩＤと、貸出履歴情報の貸出情報の利用者ＩＤとが一致するかを判定し（Ｓｅ２０）、一致すれば、利用者認証カード６の提示があった旨を示す利用者ＩＤフラグをセットし（Ｓｅ２３）、Ｓｅ１２〜Ｓｅ１５に移行する。
【００７７】
また、Ｓｅ２０において、検出された利用者ＩＤと貸出履歴情報の貸出情報の利用者ＩＤとが一致しなければ、貸出者と返却者が一致しない旨を示す不一致フラグをセットし（Ｓｅ２１）、ランプ信号を制御して、物品を持ち出した利用者と納入した利用者が異なることから、利用者が誤った什器１にアクセスしている可能性を報知する誤り報知、例えば、ランプ信号のオンオフを定期的に繰り返させる点滅報知、を行う（Ｓｅ２２）。その後、Ｓｅ２３を経て、Ｓｅ１２〜Ｓｅ１５に移行する。
【００７８】
また、Ｓｅ１３、Ｓｅ１５において、出現したＩＤが要求物ＩＤでも利用者ＩＤでもなかったとき、すなわち要求物以外の物品が取出もしくは納入されたときには、不正取出／納入のエラーが発生したと判定して、図８（ｆ）に示す不正アクセス情報を新たに登録するとともに、エラー処理を実施する（Ｓｅ２４）。その後、Ｓｅ１２〜Ｓｅ１５に移行する。尚、エラー処理においては、不正アクセス情報に基づいて、要求物以外の物品７が取り出された旨を確認すると、不正アクセスの是正を指示する旨を報知（例えば、スピーカからの物品７の返却指示メッセージ出力、ランプの点灯態様変更（点灯から点滅）等）する。また、不正に取り出された物品７が納入された旨を確認すると、不正アクセスが是正された旨を報知（例えば、スピーカからの物品７の返却確認メッセージ出力、ランプの点灯態様復旧（点滅から点灯）等）する。
【００７９】
Ｓｅ１２〜Ｓｅ１５において、什器１が閉扉される（開扉信号：オフの検出）と（Ｓｅ１５）、対象什器及び対象収納部内に対するアンテナ信号をオンからオフにして、対象什器及び対象収納部内の物品７を検出できないようにする（Ｓｅ２５）。
【００８０】
次いで、利用者ＩＤフラグがセットされているかを確認し（Ｓｅ２６）、セットされていればＳｅ２８に移行する。また、セットされていなければ、利用者認証カード非提示のエラーが発生したと判定して、エラー処理（例えば、スピーカによるメッセージの報知）を実施してから（Ｓｅ２７）、Ｓｅ２８に移行する。
【００８１】
Ｓｅ２８において、返却フラグがセットされているか、すなわち要求物の返却があったかを確認し、返却があれば、対象什器に対する解錠信号とランプ信号を順次オフにして、施解錠装置の施錠とランプの消灯を行わせる（Ｓｅ２９）。
【００８２】
次いで、返却実行要求により特定される要求物の重量と、要求物ＩＤの最新の返却質量（貸出履歴情報のうち、要求物ＩＤが一致し、かつ返却済み（終了情報：○）で、返却日時が最新である貸出履歴における質量（貸出履歴情報に質量が登録されていなければ、物品情報に登録されている質量）とが一致しているかを確認し（Ｓｅ３０）、一致していれば、Ｓｅ３２に移行する。また、一致していなければ、質量異常である旨（質量異常情報：×）を貸出履歴情報の返却情報に記録してから（Ｓｅ３１）、Ｓｅ３２に移行する。
【００８３】
Ｓｅ３２においては、貸出履歴情報の返却情報として、利用者ＩＤ、日時、質量、終了情報（終了情報：○）を記録して、物品の返却が行われた旨を記録する。
【００８４】
次いで、不一致フラグがセットされているかを確認し（Ｓｅ３３）、セットされているときには、記憶部３０４に記憶される貸出履歴情報の返却情報に不一致情報を記録してから（Ｓｅ３４）、各種フラグをクリアして（Ｓｅ３５）、Ｓｅ２に移行し、未返却な要求物の返却を継続する。また、不一致フラグがセットされていないときには、直ちにＳｅ３５に移行し、各種フラグをクリアしてからＳｅ２に移行する。
【００８５】
以上説明したように、本実施例の什器の施解錠システムでは、利用者が入力端末４を操作し貸出または返却を要求する物品７の物品ＩＤを入力すると、この物品７を収納する什器（例えば、図７に示す什器ＩＤが１の什器１）が、図７（ｂ）に示す移動時間情報において什器１ごとに定められた移動予想時間後に解錠されて、所定の解錠時間（例えば、１０分）の経過後に施錠される。このため、入力端末４から什器１への移動中であり什器１に到着していない可能性が高い移動予想時間の経過前と、利用者が什器１に移動しなかった、利用者が物品７を取出もしくは納入せずに什器１から離れた等の理由で解錠された什器１が施錠されないまま放置された可能性が高い所定の解錠時間経過後に、すなわち、利用者が什器１にアクセスしていない可能性が高い期間に、什器１が解錠状態のままに放置されてしまうことを防止でき、第三者による盗難、無断持ち出し等の不具合の発生を低減できることから、什器１へのアクセス時における収納物管理機能を高めることができる。
【００８６】
また、利用者が解錠された什器１の開閉部を開いて、所定の解錠時間（例えば、１０分）後も閉じないでおくと、開閉部が開状態のときに解錠時間切れが発生した旨、すなわち什器１が解錠されて所定の解錠時間が経過したときに什器１が施錠されなかった旨が図８（ｅ）に示す貸出履歴情報に記録（解錠時間切れ・開状態：○）されるようになっている。このため、この記録に基づいて管理者に什器１が施錠されていない旨を報知でき、什器１へのアクセス時における収納物管理機能を一層高められる。
【００８７】
また、利用者が入力端末４を用いて貸出または返却を要求する物品７を入力すると、この物品７を収納する什器１（例えば、図７に示す什器ＩＤが１の什器１）と、この什器１に応じた予想移動時間（例えば、１０秒間）が特定され、予想移動時間が経過したときに什器１が解錠される。このため、入力端末４から物品７を収納した什器１へと移動している可能性が高い期間に什器が解錠されてしまうことを防止できることから、第三者による盗難、無断持ち出し等の不具合の発生を低減できる。
【００８８】
また、利用者が入力端末４を用いて貸出または返却を要求する物品７を入力すると、この物品７を収納する什器１（例えば、図７に示す什器ＩＤが１の什器１）と、この什器１に応じた予想移動時間（例えば、１０秒間）が特定され、予想移動時間が経過したときに什器１が解錠され、その後、所定の解錠時間（例えば、１０分）が経過したときに施錠指示（図４に示す解錠信号：オフ）が発せられて、開閉部が閉状態のときには什器１が施錠され、また、開閉部が開状態のときには閉め忘れが発生した旨が図８（ｅ）に示す貸出履歴情報に記録（解錠時間切れ・開状態：○）され、スピーカによる報知等が行えるようになっている。このため、利用者が什器１まで移動しなかったときや、什器１を施錠せずに什器１付近より移動したとき等に什器１が解錠されたままになることを防止できることから、第三者による盗難、無断持ち出し等の不具合の発生を低減できる。
【００８９】
以上、本発明の実施例１を図面に基づいて説明してきたが、本発明はこれら実施例に限定されるものではなく、本発明の主旨を逸脱しない範囲における変更や追加があっても本発明に含まれることは言うまでもない。
【図面の簡単な説明】
【００９０】
【図１】本発明の第１実施例である什器１が適用された施解錠システムの構成を示す図である。
【図２】什器１の施解錠システムのブロック図である。
【図３】什器１の施解錠システムのブロック図である。
【図４】入力端末４と管理コンピュータ３と什器１の間の各種データの送信状況の一例を示すシーケンス図である。
【図５】入力端末４において、主に貸出時に表示される画面の一例を示す図である。
【図６】入力端末４において、主に返却時に表示される画面の一例を示す図である。
【図７】管理コンピュータ３の記憶部３０４に記憶される各種情報を示す図である。
【図８】管理コンピュータ３の記憶部３０４に記憶される各種情報を示す図である。
【図９】管理コンピュータ３の制御部３０１で行われるメイン処理のフローチャートである。
【図１０】管理コンピュータ３の制御部３０１で行われる貸出処理のフローチャートである。
【図１１】図１０の貸出処理における物品貸出処理のフローチャートである。
【図１２】図１０の貸出処理における物品貸出処理のフローチャートである。
【図１３】管理コンピュータ３の制御部３０１で行われる返却処理のフローチャートである。
【図１４】図１３の返却処理における物品返却処理のフローチャートである。
【図１５】図１３の返却処理における物品返却処理のフローチャートである。
【符号の説明】
【００９１】
１                什器
２                通信ケーブル
３                管理コンピュータ
４                入力端末
５                ＲＦＩＤリーダ／ライタ付計量装置
６                利用者認証カード
７                物品
８                ＬＡＮケーブル
９                管理アンテナ
１０              什器アンテナ
１１              中継装置
１００            書庫
１０１            上棚収納部（収納部）
１０２            下棚収納部（収納部）
１１１            上棚指示ランプ
１１２            下棚指示ランプ
１１５            解錠ランプ
１１６            スピーカ
１１７            施解錠装置
１３１            開閉扉スイッチ（左）
１３２            開閉扉スイッチ（右）
１４１            上棚アンテナ
１４２            下棚アンテナ
２００            ラテラル
２０１〜２０４    引き出し
２１１〜２１４    指示ランプ
２１５            解錠ランプ
２１６            スピーカ
２１７            施解錠装置
２３１〜２３４    開閉扉スイッチ
２４１〜２３４    アンテナ
３０１            制御部
３０４            記憶部
【図１】
2005146789.tif 000003
【図２】
2005146789.tif 000004
【図３】
2005146789.tif 000005
【図４】
2005146789.tif 000006
【図５】
2005146789.tif 000007
【図６】
2005146789.tif 000008
【図７】
2005146789.tif 000009
【図８】
2005146789.tif 000010
【図９】
2005146789.tif 000011
【図１０】
2005146789.tif 000012
【図１１】
2005146789.tif 000013
【図１２】
2005146789.tif 000014
【図１３】
2005146789.tif 000015
【図１４】
2005146789.tif 000016
【図１５】
2005146789.tif 000017